(57)【要約】【課題】接続板と固定接触子の接触が不安定になり、接触不良を引き起こす可能性があった。また、接続板の接続配置スペースが大きくなるという課題があった。【解決手段】接続板はコの字形状に形成され、接続板のコの字形状の凹部が回路遮断器のベースに嵌め合わされ、回路遮断器の電源側端子もしくは負荷側端子を回路遮断器のベースと接続板にネジにより共締めして、接続板と回路遮断器の端子が電気的に接続され、接続板の端部はリード線に接続されたものである。【選択図】図１
2011150810.tif 000002
【特許請求の範囲】
【請求項１】
交流電路の漏電電流を検出する零相変流器もしくは線間電圧を測定する変圧器と、前記零相変流器もしくは前記変圧器に接続され、前記交流電路の状態を監視する電子回路と、前記交流電路開閉用の遮断部を開離する電磁装置と、前記電子回路の出力により前記電磁装置を動作させる電磁装置スイッチング手段を備えた回路遮断器において、
前記交流電路に前記電子回路もしくは前記変圧器を接続する接続板を有し、前記接続板はコの字形状に形成され、前記接続板のコの字形状の凹部が前記回路遮断器のベースに嵌め合わされ、前記回路遮断器の電源側端子もしくは負荷側端子を前記回路遮断器のベースと前記接続板にネジにより共締めして、前記接続板と前記回路遮断器の端子が電気的に接続されることを特徴とする回路遮断器。
【請求項２】
前記接続板の前記回路遮断器の電源側端子もしくは負荷側端子との接触面に対してＬ曲げ構造を有し、前記ベースに前記回路遮断器の端子組み込み後に、前記接続板のネジ貫通用穴の位置が前記ベースのネジ貫通用穴の位置とずれないよう構成したことを特徴とする請求項１記載の回路遮断器。
【請求項３】
前記接続板に弾力性を有した材料を使用したことを特徴とする請求項１または請求項２に記載の回路遮断器。
【請求項４】
前記接続板の前記回路遮断器の端子との接触面に凸形状部を設け、点接触状態にて接続したこと特徴とする請求項１ないし請求項３のいずれか１項に記載の回路遮断器。
【発明の詳細な説明】
【技術分野】
【０００１】
この発明は回路遮断器に関し、特に回路遮断器に内蔵された電子回路もしくは変圧器などのセンサーに電源を供給する構造の改善に関するものである。
【背景技術】
【０００２】
例えば、回路遮断器に内蔵された電子回路もしくは変圧器などのセンサーに電源を供給する構造としては、図４に示すようなものがある。回路遮断器２１のベース２２上に固定接触子２３と電源側端子２４が一体に形成された端子座２５を固定し、端子座２５とベース２２に略Ｌ字状の接続板２６を挟み、接続板の一端部２６ａをネジ２７とナット２８により締め付け固定するとともに、接続板２６の他端部２６ｂをベース２２に設けた貫通穴２９より裏面側に突設し、この他端部２６ｂにリード線３０をはんだ付けし、リード線３０の他端を図示しない電子回路もしくは変圧器などのセンサーに接続していた。（例えば、特許文献１  図３参照）
【先行技術文献】
【特許文献】
【０００３】
【特許文献１】実開平６−６４３４７号公報
【発明の概要】
【発明が解決しようとする課題】
【０００４】
上述した従来の回路遮断器においては、ベース２２がモールド部品のため、経年にて発生するプラスチック部品のクリープ現象により、前記ベース２２の厚さが薄くなった場合、ネジ２７とナット２８で締め付けされているため、接続板２６と固定接触子２３の接触が不安定になり、接触不良を引き起こす可能性があった。
【０００５】
また、電源端子２４の投影面積の外側に接続板２６をネジ２７で固定しているため、接続板２６の接続配置スペースが大きくなるという課題があった。
【０００６】
この発明は上記のような課題を解決するためになされたものであり、回路遮断器に内蔵された電子回路もしくは変圧器などのセンサーと電源側もしくは負荷側端子の接続において、ベースのクリープ現象の影響を受けずに、安定した接続状態を保つことができ、かつ、接続板の接続配置スペースを小さく構成できる回路遮断器を提供することを目的とする。
【課題を解決するための手段】
【０００７】
この発明に係わる回路遮断器は、交流電路の漏電電流を検出する零相変流器もしくは線間電圧を測定する変圧器と、前記零相変流器もしくは前記変圧器に接続され、前記交流電路の状態を監視する電子回路と、前記交流電路開閉用の遮断部を開離する電磁装置と、前記電子回路の出力により前記電磁装置を動作させる電磁装置スイッチング手段を備えた回路遮断器において、前記交流電路に前記電子回路もしくは前記変圧器を接続する接続板を有し、前記接続板はコの字形状に形成され、前記接続板のコの字形状の凹部が前記回路遮断器のベースに嵌め合わされ、前記回路遮断器の電源側端子もしくは負荷側端子を前記回路遮断器のベースと前記接続板にネジにより共締めして、前記接続板と前記回路遮断器の端子が電気的に接続されるものである。
【発明の効果】
【０００８】
この発明に係わる回路遮断器は、コの字形状に形成した接続板の凹部を回路遮断器のベ
ース嵌め合わさるように構成したので、ベースのクリープ現象の影響を受けず、かつ、接続板の接続配置スペースを小さくすることができる回路遮断器を得ることができる。
【図面の簡単な説明】
【０００９】
【図１】この発明の実施の形態１に係わる回路遮断器の端子部を示す断面図である。
【図２】この発明の実施の形態１に係わる回路遮断器の接続板を示す斜視図である。
【図３】この発明の実施の形態２に係わる回路遮断器の端子部を示す断面図である。
【図４】従来の回路遮断器を示す断面図である。
【発明を実施するための形態】
【００１０】
実施の形態１.
以下、この発明の実施の形態１を図１および図２に基づいて説明する。図１はこの発明の実施の形態１に係わる回路遮断器の端子部を示す断面図である。図２はこの発明の実施の形態１に係わる回路遮断器の接続板を示す斜視図である。
【００１１】
回路遮断器１００は、交流電路の漏電電流を検出する零相変流器もしくは線間電圧を測定する変圧器と、零相変流器もしくは変圧器に接続され、交流電路の状態を監視する電子回路と、交流電路開閉用の遮断部を開離する電磁装置と、電子回路の出力により電磁装置を動作させる電磁装置スイッチング手段と、から構成されるものである。
【００１２】
図１、２において、回路遮断器１００のベース１の上に回路遮断器１００の主回路に接続されている主回路導体３に接続された回路遮断器１００の端子２が配置構成され、例えば交流電路に接続される電源側端子を構成される。接続板４はコの字形状を有し、コの字形状の上面側に第１のネジ貫通用穴４ａと下面側に第２のネジ貫通用穴４ｂを有している。さらに、接続板４のコの字形状の上面側からＬ曲げ形状部４ｄを有しており、接続板４の端部４ｃはリード線６の一端６ａに接続され、リード線６の他端６ｂは図示しない電子回路もしくは変圧器などのセンサーに接続されている。
【００１３】
回路遮断器１００のベース１に形成されたネジ貫通用穴１ａがコの字形状に形成された接続板４の第１のネジ貫通用穴４ａと第２のネジ貫通用穴４ｂに一致するように組み合わされ、かつ、接続板４のＬ曲げ形状部４ｄを回路遮断器１００の端子２の端部２ａと近接して配置し、さらに、回路遮断器１００の端子２がネジ５によって、接続板４の第１のネジ貫通用穴４ａと第２のネジ貫通用穴４ｂと回路遮断器１００のベース１のネジ貫通用穴１ａを縫うように締め付けられ、回路遮断器１００の端子２と接続板４が回路遮断器１００のベース１に固定されている。端子２と接続板４がベース１に固定されることにより、図示しない電子回路もしくは前記変圧器とが接続板４とリード線６を介して交流電路に接続される。
【００１４】
ベース１には、端子２に外部接続を行うための端子ネジ７を端子２に螺着したときに、端子ネジ７を逃がすための端子ネジ逃がし孔部１ｂが設けられている。接続板４は、端子２を載置する前に、端子ネジ逃がし孔部１ｂから挿入され、ネジ貫通用穴１ａが接続板４の第１のネジ貫通用穴４ａと第２のネジ貫通用穴４ｂに一致するようにベース１に嵌着される。また、端子２の端部２ａから主回路導体３との接続部までの間には、端子２の導体幅が狭くなった幅狭部２ｂが設けられており、接続板４をベース１に嵌着後、端子２を載置したとき、幅狭部２ｂにより接続板４のＬ曲げ形状部４ｄは端子２と干渉せず、端子２の上部に突出した状態となる。
【００１５】
以上のように構成されたこの発明の実施の形態１によれば、接続板４のコの字形状の凹部４ｅが回路遮断器１００のベース１に嵌め合わされ、ネジ５によって回路遮断器１００の端子２に共締めされているため、回路遮断器１００のベース１が経年にてクリープ現象
で薄くなった場合でも、ネジ５は接続板４のコの字形状を介して回路遮断器１００の端子２と締め付けられているため、ネジ５が緩むことなく、回路遮断器１００の端子２と接続板４の接触状態を安定して保つことができる。
【００１６】
また、回路遮断器１００の端子２と回路遮断器１００のベース１の固定用ネジと接続板４の固定ネジを兼用できるため、接続板４の固定のために新たにネジを増やす必要がないため、安価に構成できる。
【００１７】
また、接続板４の配置を回路遮断器１００の端子２の投影面積内に収めることができるため、接続板４の配置スペースを小さくできるという効果がある。
【００１８】
また、接続板４のＬ曲げ形状部４ｄを回路遮断器１００の端子２の端部２ａと近接して配置しているため、ネジ５を締め付けする前に、接続板４の第１のネジ貫通用穴４ａ，第２のネジ貫通用穴４ｂと回路遮断器１００のベース１のネジ貫通用穴１ａの位置ずれを抑制できるため、組立てが容易にできるという効果がある。
【００１９】
なお、本実施の形態では、接続板４と電子回路もしくは前記変圧器との接続にリード線を用いたが、接続板４のＬ曲げ形状部４ｄを延設し、直接、電子回路もしくは前記変圧器と接続することも可能である。
【００２０】
実施の形態２.
この発明の実施の形態２を図３に基づいて説明する。図３はこの発明の実施の形態２に係わる回路遮断器の端子部を示す断面図である。
【００２１】
図３において、回路遮断器１０１のベース１の上に回路遮断器１０１の主回路に接続されている主回路導体３に接続された回路遮断器１０１の端子２が配置構成され、例えば電源側端子を構成される。回路遮断器１０１のベース１のネジ貫通用穴１ａがコの字形状の接続板４の第１のネジ貫通用穴４ａと第２のネジ貫通用穴４ｂに一致するように組み合わされ、さらに、接続板４はバネ性のような弾力性を有した材料からなり、回路遮断器１０１の端子２と接続板４は、接続板４の凸形状部４ｆを介して接触し、ネジ５によって、接続板４の第１のネジ貫通用穴４ａと第２のネジ貫通用穴４ｂと回路遮断器１０１のベース１のネジ貫通用穴１ａを縫うように締め付けられ、回路遮断器１０１の端子２と接続板４が回路遮断器１０１のベース１に固定されている。その他の構成については、実施の形態１と同様であるので、説明は省略する。
【００２２】
以上のように構成されたこの実施の形態２によれば、接続板４のコの字形状の凹部４ｅが回路遮断器１０１のベース１に嵌め合わされ、ネジ５によって回路遮断器１０１の端子２に共締めされているため、回路遮断器１０１のベース１が経年にてクリープ現象で薄くなった場合でも、ネジ５は接続板４のコの字形状を介して回路遮断器１０１の端子２と締め付けられているため、ネジ５が緩むことなく、回路遮断器１０１の端子２と接続板４の接触時様態を安定して保つことができる。また、接続板４にバネ性のような弾力性を有した材料を使用するため、接続板４に薄い材料を使用でき、接続板４を小型・軽量化することができる。
【００２３】
また、回路遮断器１０１の端子２は接続板４と接続板４の凸形状部４ｆを介して接触しているため、ネジ５にて固定された際に、点接触するため、接触信頼性が向上するという効果がある。
【００２４】
ところで、上述した各実施の形態においては、回路遮断器１００，１０１の端子２が例えば電源側端子の場合について述べたが、負荷側端子の場合にも適用でき、同様の効果を
奏する。
【産業上の利用可能性】
【００２５】
この発明は、ベースのクリープ現象の影響を受けず、かつ、接続板の接続配置スペースを小さくすることができる回路遮断器の実現に好適である。
【符号の説明】
【００２６】
１  ベース
１ａ  ネジ貫通用穴
２  端子
４  接続板
４ａ  第１のネジ貫通用穴
４ｂ  第２のネジ貫通用穴
４ｃ  端部
４ｄ  Ｌ曲げ形状部
４ｅ  凹部
４ｆ  凸形状部
５  ネジ
６  リード線。
【図１】
2011150810.tif 000003
【図２】
2011150810.tif 000004
【図３】
2011150810.tif 000005
【図４】
2011150810.tif 000006